(57)【特許請求の範囲】
【請求項１】
縦シール部１１を設けた筒状フィルムの左右両側部にＶ字状に折り込まれたガゼット折り部を備えた袋状容器であって、少なくとも内容物の充填により天部と四角形筒状の側部と該容器を自立可能とする平坦状四角形底部とが形成されるガゼット袋状容器において、前記四角形筒状の側部を形成する四つの側板２、３、４、５が各折目を介して順に連設され、該側板５の外側端部に貼着板６が連設されていて、該貼着板６は折目ｇを介してＶ字状に第１貼着板６ａと第２貼着板６ｂとして四角形筒状の外側に折り返され、且つ前記側板２の端部と第２貼着板６ｂとが互いに縦方向に重ね合わせられ、その重ね合わせ内面が接合シールされて三枚のフィルム板による縦シール部１１が形成され、該縦シール部１１の一部領域におけるそのシール部外端側から内端側に亘って易剥離性シール領域１２が設けられ、該易剥離性シール領域１２の上側フィルム外端縁に縦シール部１１に対して直交する方向に２個所（２本）の切込部による開封カッティング開始用のタブ２２が刻切され、該タブ２２より縦シール部１１に対して直交する方向に、袋状容器の四角形筒状の側部全周に亘って帯状に切り裂き開封可能であることを特徴とする易開封ガゼット袋状容器。
【請求項２】
前記縦シール部１１を設けた筒状フィルムが、縦シール部１１に対して直交する方向を延伸方向として樹脂延伸されたフィルムである請求項１記載の易開封ガゼット袋状容器。
【請求項３】
前記縦シール部１１の一部領域におけるそのシール部外端側から内端側に亘って設けられた前記易剥離性シール領域１２が、その一部領域の全部又は部分に設けられている請求項１又は請求項２記載の易開封ガゼット袋状容器。
【請求項４】
前記タブ２２より縦シール部１１に対して直交する方向に袋状容器の天部と底部の間の四角形筒状の側部全周に亘って帯状に切り裂き開封可能である請求項１乃至請求項３のいずれか１項記載の易開封ガゼット袋状容器。
【請求項５】
前記タブ２２が縦シール部１１のフィルム外端より突出している請求項１乃至請求項４のいずれか１項記載の易開封ガゼット袋状容器。
【請求項６】
前記縦シール部１１が、その上側フィルム外端縁を下側フィルム外端縁よりも僅かに突出して重ね合わせシールされ、且つ前記タブ２２が、前記易剥離性シール部１２の上側フィルム外端部に縦シール部１１に対して直交する方向の２個所（２本）の切込部１３、１４により刻切されて、下側フィルム外端縁より突出して設けられている請求項１乃至請求項４のいずれか１項記載の易開封ガゼット袋状容器。
【請求項７】
前記タブ２２より縦シール部１１に対して直交する方向に帯状に袋状容器の四角形筒状の側部全周に亘って切り裂かれる切り裂きラインが、袋状容器の天部と底部との間の略中央部又はそれより僅か上部若しくは下部の四角形筒状の側部に刻切されている請求項１乃至請求項６のいずれか１項記載の易開封ガゼット袋状容器。
【発明の詳細な説明】
【０００１】
【発明の属する技術分野】
本発明は、菓子、紅茶、ふりかけ食品をはじめとする各種食品類や、文具類や事務用品類など、各種物品を包装する易開封ガゼット袋状容器に関する。
【０００２】
【従来の技術】
柔軟性のあるフィルムを用いて製袋された易開封性のガゼット袋状容器としては、袋の上端部にある密封シール部の外端部の一部に１つの切込部を設け、その切込部から袋の上端部を１本の切り裂きライン相当部に沿って切り裂いて開封できるようにしたものがある。
【０００３】
上記のような従来の易開封性のガゼット袋状容器を開封する際は、袋状容器の上端部の１つの切込部より上側と下側のそれぞれ袋部分を手指で摘んで、その切込部を開封開始点として、その切込部より上側と下側のそれぞれ袋部分を互いに反対方向に引っ張りながら、１本の切り裂きライン相当部に沿って切り裂いて開封していた。
【０００４】
また、上記易開封性のガゼット袋状容器は、袋の上端部を切り裂いて開封する形式であるため、切り裂いた袋の上端部のフィルム片は廃棄され、開封後の袋状容器を再封する際には、開口した袋の上端部を折り曲げたり、丸めたりして再封するようにしていた。
【０００５】
【発明が解決しようとする課題】
このように従来の易開封性のガゼット袋状容器の開封においては、手指による摘まみ方や摘まむ方向や摘まむ力等の開封条件に個人差があり、この開封条件が微妙にフィルムの開封方向や開封形状に影響して、切り裂き方向が正規の切り裂きライン相当部の方向から外れたり、開封形状が不揃いになり易く、また、開封後の袋状容器を再封する際には、開口した袋の上端部を折り曲げたり丸めたりして再封するしかなかった。
【０００６】
本発明は、上記のような不都合を解消することにあり、手指による開封時の開封条件によるフィルムの開封方向や開封形状への影響を少なくして開封形状がなるべく揃うようにするとともに、開封後の袋状容器を再封する際には、開口した袋の上端部を折り曲げたり丸めたりせずに再封できるようにすることにある。
【０００７】
【課題を解決するための手段】
本発明の請求項１に係る発明は、縦シール部１１を設けた筒状フィルムの左右両側部にＶ字状に折り込まれたガゼット折り部を備えた袋状容器であって、少なくとも内容物の充填により天部と四角形筒状の側部と該容器を自立可能とする平坦状四角形底部とが形成されるガゼット袋状容器において、前記四角形筒状の側部を形成する四つの側板２、３、４、５が各折目を介して順に連設され、該側板５の外側端部に貼着板６が連設されていて、該貼着板６は折目ｇを介してＶ字状に第１貼着板６ａと第２貼着板６ｂとして四角形筒状の外側に折り返され、且つ前記側板２の端部と第２貼着板６ｂとが互いに縦方向に重ね合わせられ、その重ね合わせ内面が接合シールされて三枚のフィルム板による縦シール部１１が形成され、該縦シール部１１の一部領域におけるそのシール部外端側から内端側に亘って易剥離性シール領域１２が設けられ、該易剥離性シール領域１２の上側フィルム外端縁に縦シール部１１に対して直交する方向に２個所（２本）の切込部による開封カッティング開始用のタブ２２が刻切され、該タブ２２より縦シール部１１に対して直交する方向に、袋状容器の四角形筒状の側部全周に亘って帯状に切り裂き開封可能であることを特徴とする易開封ガゼット袋状容器である。
【０００８】
本発明の請求項２に係る発明は、上記請求項１に係る発明の易開封ガゼット袋状容器において、前記縦シール部１１を設けた筒状フィルムが、縦シール部１１に対して直交する方向を延伸方向として樹脂延伸されたフィルムである易開封ガゼット袋状容器である。
【０００９】
本発明の請求項３に係る発明は、上記請求項１又は請求項２に係る易開封ガゼット袋状容器において、前記縦シール部１１の一部領域におけるそのシール部外端側から内端側に亘って設けられた前記易剥離性シール領域１２が、その一部領域の全部又は部分に設けられている易開封ガゼット袋状容器である。
【００１０】
本発明の請求項４に係る発明は、上記請求項１乃至請求項３のいずれか１項に係る発明の易開封ガゼット袋状容器において、前記タブ２２より縦シール部１１に対して直交する方向に袋状容器の天部と底部の間の四角形筒状の側部全周に亘って帯状に切り裂き開封可能である易開封ガゼット袋状容器である。
【００１１】
本発明の請求項５に係る発明は、上記請求項１乃至請求項４のいずれか１項に係る発明の易開封ガゼット袋状容器において、前記タブ２２が縦シール部１１のフィルム外端より突出している易開封ガゼット袋状容器である。
【００１２】
本発明の請求項６に係る発明は、上記請求項１乃至請求項４のいずれか１項に係る発明の易開封ガゼット袋状容器において、前記縦シール部１１が、その上側フィルム外端縁を下側フィルム外端縁よりも僅かに突出して重ね合わせシールされ、且つ前記タブ２２が、前記易剥離性シール部１２の上側フィルム外端部に縦シール部１１に対して直交する方向の２個所（２本）の切込部１３、１４により刻切されて、下側フィルム外端縁より突出して設けられている易開封ガゼット袋状容器である。
【００１３】
本発明の請求項７に係る発明は、上記請求項１乃至請求項６のいずれか１項に係る易開封ガゼット袋状容器において、前記タブ２２より縦シール部１１に対して直交する方向に帯状に袋状容器の四角形筒状の側部全周に亘って切り裂かれる切り裂きラインが、袋状容器の天部と底部との間の略中央部又はそれより僅か上部若しくは下部の四角形筒状の側部に刻切されている易開封ガゼット袋状容器である。
【００１４】
【発明の実施の形態】
本発明の易開封ガゼット袋状容器を、実施の形態に沿って以下に詳細に説明する。
【００１５】
図１（ａ）は、本発明の易開封ガゼット袋状容器の実施の形態において使用する筒状フィルムシートの一例を示す正面斜視図、図１（ｂ）は上面図であり、例えば、図１（ａ）〜（ｂ）に図示するように筒状フィルムシート１は、各々側板折目ａ、ｃ、ｄを介して側板２、３、４、５が連設され、該側板３は側板２と４との内面側に折目ｂを介して側板３ａ、３ｂとしてＶ字状（ガゼット状）に折り込まれ、また該側板５は側板２と４との内面側に折目ｅを介して側板５ａ、５ｂとしてＶ字状（ガゼット状）に折り込まれている。
【００１６】
前記側板５の外側端部には折目ｆを介して貼着板６が連設され、該貼着板６は側板２と側板５ａとの内面側に折目ｇを介してＶ字状に第１貼着板６ａ、第２貼着板６ｂとして折り込まれている。
【００１７】
前記側板２の端部と第２貼着板６ｂとは、互いに縦方向に重ね合わせられていて、その重ね合わせ内面が接合シールされて、縦シール部１１（斜線領域）が形成され、筒状フィルムシート１として形成されている。なお、上記筒状フィルムシート１として形成するための縦シール部１１は、図１（ａ）〜（ｂ）に示すようにシート１の右側端部に形成されているが、本発明においては、これに限定されるものではなく、縦シール部１１は図１（ａ）〜（ｂ）中の筒状フィルムシート１の左側端部に沿って形成してもよいし、あるいはその側板２又は側板４の中央部に縦に背シール部として形成してもよい。
【００１８】
前記縦シール部１１を設けた筒状フィルムシート１は、縦シール部１１に対して直交する方向を延伸方向として樹脂延伸された延伸フィルムシートが使用される。
【００１９】
この筒状フィルムシート１は、図１（ａ）〜（ｂ）に示すように、上記各折目ａ、ｃ、ｄ、ｆを介して同一方向に折り曲げられ、上記折目ａ、ｃ、ｄ、ｆとは反対方向に、各折目ｂ、ｅ、ｇを介して同一方向に折り曲げられて、ガゼット状の筒状フィルムシート１として形成されているものである。なお、各折目は互いに平行な折目である。
【００２０】
上記筒状フィルムシート１は、透明又は半透明又は不透明のいずれでもよく、また該シート１面には、彩色、絵柄、模様、文字など、適宜印刷が施されていてもよい。
【００２１】
筒状フィルムシート１の材料としては、無延伸または延伸された合成樹脂材料として、ポリプロピレン（例えば延伸ポリプロピレンとしてＹＴ−４２；東レ（株）製）、ポリエチレンテレフタレート、ポリ塩化ビニル、ポリスチレン等の合成樹脂製フィルム（シート）、紙製シート、不織布シート、織布シート、アルミニウム製シート、又はそれらのうちいずれかのシートを複合した複合シート（ラミネートフィルムシート、多層フィルム）等のシート材料を適宜に用いて形成することができる。
【００２２】
本発明の易開封ガゼット袋状容器の実施の形態を以下に詳細に説明すれば、図１（ａ）に示すように、筒状フィルムシート１の縦シール部１１相当部の一部領域には、そのシール部外端側から内端側に亘って易剥離性シール領域１２が設けられている。
上記易剥離性シール領域１２における上側のフィルム（所謂、側板２のフィルム）の外端縁には、線形状に２本（又は切欠形状に２個所）の切込部１３、１４（ノッチ１３、１４）が、縦シール部１１の長手方向に対して直交する方向に形成されて、袋状容器の四角形状の側部を全周に亘って帯状に開封カッティングするためのカッティング開始用のタブ２２が刻切されている。
【００２３】
上記タブ２２は、その外端縁（タブ先端）が、図１（ｂ）に示すように縦シール部１１の重ね合わせシールされた上側フィルム（側板２の外端部）と下側フィルム（第２貼着板６ｂ）のそれぞれ外端縁と同じ線上に揃うように整合して設けられていてもよいし、あるいは手指にて掴み易いように、該縦シール部１１の下側フィルム外端縁より僅かに突出して設けられていてもよい。
【００２４】
また、前記縦シール部１１が、その上側フィルム（側板２の外端部）の外端縁を下側フィルム（第２貼着板６ｂ）の外端縁よりも僅かに突出して重ね合わせシールされていて、上記タブ２２は、前記易剥離性シール領域１２の上側フィルム外端部（側板２の外端部）に縦シール部１１に対して直交する方向の２個所（２本）の切込部１３、１４により刻切されていて、これによって、そのタブ２２の外端縁（タブ先端）が下側フィルム外端縁より突出して設けられていてもよい。
【００２５】
なお、本発明における縦シール部１１におけるシール領域（非剥離性シール領域）と易剥離性シール領域１２の形成は、それぞれ領域に異なるシール強度、異なる加熱シール可能温度を備えた加熱シール剤層（シーラント層；熱接着性樹脂コーティング層）を用いることにより形成してもよいし、シール剤中に剥離剤（離型剤）などを混入したり、易剥離性シール領域１２に剥離剤（離型剤、非接着性樹脂）などをパターン状に塗布することにより形成してもよい。
【００２６】
図２に示すように、上記筒状フィルムシート１の下端部の筒状内面全面は、Ｖ字状にガゼット折りされた側板３ａと３ｂとの重ね合わせ内面及び側板５ａと５ｂとの重ね合わせ内面を除いて、底部シール部１５により密封シールされて底部１６が形成されている。
【００２７】
そして、図２に示す底部１６が形成された筒状フィルムシート１は、その筒状フィルムシート１内に上端開口部より内容物を充填（装填）することにより、図３に示すように、Ｖ字状にガゼット折りされた対向する側板３、５が開放し、底部１６が平坦状の四角形状に展開して四角形筒状の袋状容器に形成される。
【００２８】
図４は、上記筒状フィルムシート１の内部に内容物を充填（装填）し、上端の開口部を密封シールした後の本発明の易開封ガゼット袋状容器の斜視図であり、図３に示す筒状フィルムシート１の上端開口部を平坦に折り重ねた後、その重ね合わせ内面全面を、Ｖ字状にガゼット折りされた側板３ａと３ｂとの重ね合わせ内面及び側板５ａと５ｂとの重ね合わせ内面を除いて、上端シール部１７により密封シールして容器上部１８（天部）が形成されている。なお、該上端シール部１７の前後両面には、紙製又はプラスチック製の二つ折りカバーシート２１（例えば、商品名や銘柄、絵柄、商品情報などを表示した化粧カバーシート）を被覆してもよい。
【００２９】
図５は、本発明の易開封ガゼット袋状容器の開封操作を示す斜視図であり、縦シール部１１の上側フィルム外端縁（側板２のフィルム外端縁）に刻切した切込部１３と１４とにより挟まれたタブフィルム部分２２を手指で摘み、水平方向に引っ張ることによりタブフィルム部分２２以降の袋状容器の各側板２、３、４、５のフィルムが連続して一点鎖線に相当する部分に沿って順に帯状（カッティングテープ状）にカッティングされて、図６に示すように袋状容器は開封される。
【００３０】
本発明の易開封ガゼット袋状容器の開封操作においては、切込部１３、１４から上側と下側の袋状容器をそれぞれ反対方向に捻るように引っ張りながら開封する従来の開封操作とは異なり、切込部１３、１４の間にあるタブフィルム部分２２以降のフィルムを袋状容器に対して反対方向に引っ張ることにより帯状に切り離して開封する。
【００３１】
そのために、袋状容器本体に対する捻り操作などの無理な外力を掛けずに、小面積のタブフィルム部分２２を摘んで引っ張り、帯状に開封するため、開封時の手指による摘まみ方や摘まむ方向や摘まむ力等の開封条件が緩和され、個人差などによる開封条件の変動が少なく安定した開封操作ができ、切り裂き方向が正規の切り裂きライン相当部の方向に沿って開封でき、開封形状が揃い易くになる。
【００３２】
また、本発明の易開封ガゼット袋状容器の前記縦シール部１１を設けた筒状フィルムシート１として、縦シール部１１に対して直交する方向を延伸方向として樹脂延伸されたフィルムを使用することにより、フィルム延伸方向と開封方向とが互いに一致するため、切り裂き方向が正規の切り裂きライン相当部の方向に沿ってより一層良好に開封でき、開封形状も一層揃い易くになる。
【００３３】
また、図６に示した開封後の袋状容器の帯状にカッティングされた部分より上側部分は、容器上部１８を含めて再封可能な蓋部として利用でき、また帯状にカッティングされた部分より下側部分（底部１６側部分）は、内容物を収容する容器として利用でき、図７に示すように利用することができる。
【００３４】
【発明の効果】
本発明の易開封ガゼット袋状容器は、手指による開封時の開封条件によるフィルムの開封方向や開封形状への影響を少なくして開封形状（開封カッティングライン）が揃うようにすることができ、開封後の袋状容器を再封する際には、開口した袋の上端部を折り曲げたり丸めたりせずに、袋状容器の上部を再封用の蓋部として利用できる効果があり、菓子、紅茶、ふりかけ食品をはじめとする各種食品類や、文具類や事務用品類など各種物品を包装する袋状容器として効果的である。
【図面の簡単な説明】
【図１】（ａ）は本発明の易開封ガゼット袋状容器における縦シール部の形成された筒状フィルムシートの正面斜視図、（ｂ）はその上面図。
【図２】本発明の易開封ガゼット袋状容器における底部シール部の形成された筒状フィルムシートの正面図。
【図３】本発明の易開封ガゼット袋状容器を四角形筒状に形成し、底部シール部を四角形に平坦に展開した状態を示す斜視図。
【図４】本発明の易開封ガゼット袋状容器の全体斜視図。
【図５】本発明の易開封ガゼット袋状容器の開封操作を説明する全体斜視図。
【図６】本発明の易開封ガゼット袋状容器の開封後の状態を示す全体斜視図。
【図７】本発明の易開封ガゼット袋状容器を開封した後の再封状態を示す全体斜視図。
【符号の説明】
ａ、ｂ、ｃ、ｄ、ｅ、ｆ、ｇ…折目
１…筒状フィルムシート  ２、３、４、５…側板  ６…貼着板
６ａ…第１貼着板  ６ｂ…第２貼着板  ７…縦シール内面
１１…縦シール  １２…易剥離性シール領域  １３、１４…切込部  １５…底部シール部１６…底部  １７…上部シール部  １８…容器上部
２１…カバーシート  ２２…タブフィルム部分
【図１】
0003895102.tif 000002
【図２】
0003895102.tif 000003
【図３】
0003895102.tif 000004
【図４】
0003895102.tif 000005
【図５】
0003895102.tif 000006
【図６】
0003895102.tif 000007
【図７】
0003895102.tif 000008